(57)【要約】【課題】折りたたみ可能な可搬性に優れた新規な情報処理装置を提供する。または、継ぎ目のない大きな画面に表示をすることができる新規な情報処理装置を提供する。または、一の表示領域を、折り曲げられた位置を境に二つに分けて利用できる新規な情報処理装置を提供する。または、それぞれの領域に異なる画像または異なる目的で画像を表示することができる新規な情報処理装置を提供する。【解決手段】情報処理装置の表示部を折り曲げることにより、表示領域を分割し、それぞれの領域に画像情報を表示するステップを含むプログラムに思い至った。【選択図】図１
2019032542.tif 000002
【特許請求の範囲】
【請求項１】
情報処理装置を用いた画像データの表示方法であって、
前記情報処理装置は、演算装置と、前記演算装置に接続された入出力装置を備え、
前記入出力装置は、前記演算装置に接続された表示部と、前記表示部に設けられた剪断力センサと、前記表示部にライン状に配置された複数の位置センサと、を備え、
前記表示部は、可撓性を備え、
前記表示部が、第１の画像データを表示するステップと、
前記剪断力センサが、前記表示部が内側方向または外側方向に折り曲げられた方向データを検知するステップと、
前記位置センサが、前記表示部の折り曲げ位置を感知するステップと、
前記折り曲げ位置の折り曲げ位置データを前記演算装置に供給するステップと、
前記演算装置が、前記折り曲げ位置とそれより遠い端部との間を第１の領域と設定し、前記折り曲げ位置に近い方の端部との間を第２の領域と設定するステップと
前記演算装置が、第１の領域に表示する第２の画像データと、第２の領域に表示する第３の画像データと、を前記第１の画像データから生成するステップと、
前記演算装置が、前記折り曲げられた方向データが供給されることで外側に折り曲げたことを検知することで、前記第１の領域に前記第２の画像データを表示し、前記第２の領域の表示を停止するステップと、
前記演算装置が、前記折り曲げられた方向データが供給されることで内側に折り曲げたことを検知することで、前記第１の領域に前記第２の画像データを表示し、前記第２の領域に前記第３の画像データを表示するステップと、を有することを特徴とする画像データの表示方法。
【請求項２】
情報処理装置を用いた画像データの表示方法であって、
前記情報処理装置は、演算装置と、前記演算装置に接続される入出力装置を備え、
前記入出力装置は、前記演算装置に接続された表示部と、前記表示部の端部に設けられた加速度センサと、前記表示部にライン状に配置された複数の位置センサとを備え、
前記表示部は、可撓性を備え、
前記表示部が、第１の画像データを表示するステップと、
前記加速度センサが、前記表示部が内側方向または外側方向に折り曲げられた方向データを検知するステップと、
前記位置センサが、前記表示部の折り曲げ位置を感知するステップと、
前記演算装置が、前記折り曲げ位置とそれより遠い端部との間を第１の領域と設定し、前記折り曲げ位置に近い方の端部との間を第２の領域と設定するステップと
前記演算装置が、前記第１の画像データから第１の領域に表示する第２の画像データと、第２の領域に表示する第３の画像データと、を前記第１の画像データから生成するステップと、
前記演算装置が、前記折り曲げられた方向データが供給されることで外側に折り曲げたことを検知することで、前記第１の領域に前記第２の画像データを表示し、前記第２の領域の表示を停止するステップと、
前記演算装置が、前記折り曲げられた方向データが供給されることで内側に折り曲げたことを検知することで、前記第１の領域に前記第２の画像データを表示し、前記第２の領域に前記第３の画像データを表示するステップと、を有することを特徴とする画像データの表示方法。
【請求項３】
請求項１または請求項２において
前記位置センサが圧力センサであることを特徴とする画像データの表示方法。
【請求項４】
請求項１または請求項２において
前記表示部が前記表示の側部に沿って複数のヒンジによって折り曲げられることを特徴とする画像データの表示方法。
【請求項５】
請求項１または請求項２において
前記位置センサが前記表示部と重ならないことを特徴とする画像データの表示方法。
【発明の詳細な説明】
【技術分野】
【０００１】
本発明は、物、方法、または、製造方法に関する。または、本発明は、プロセス、マシン
、マニュファクチャ、または、組成物（コンポジション・オブ・マター）に関する。特に
、本発明は、例えば、ヒューマンインターフェース、半導体装置、表示装置、発光装置、
蓄電装置、それらの駆動方法、または、それらの製造方法に関する。特に、本発明は、例
えば、画像情報の処理および表示方法、プログラムおよびプログラムが記録された記録媒
体を有する装置に関する。特に、本発明は、例えば、表示部を備える情報処理装置に処理
された情報を含む画像を表示する画像情報の処理、表示方法および表示部を備える情報処
理装置に処理された情報を含む画像を表示させるプログラム並びに当該プログラムが記録
された記録媒体を有する情報処理装置に関する。
【背景技術】
【０００２】
大きな画面を備える表示装置は多くの情報を表示することができる。よって、一覧性に優
れ、情報処理装置に好適である。
【０００３】
また、情報伝達手段に係る社会基盤が充実されている。これにより、多様で潤沢な情報を
職場や自宅だけでなく外出先でも情報処理装置を用いて取得、加工または発信できるよう
になっている。
【０００４】
このような背景において、携帯可能な情報処理装置が盛んに開発されている。
【０００５】
例えば、携帯可能な情報処理装置は屋外で使用されることが多く、落下により思わぬ力が
情報処理装置およびそれに用いられる表示装置に加わることがある。破壊されにくい表示
装置の一例として、発光層を分離する構造体と第２の電極層との密着性が高められた構成
が知られている（特許文献１）。
【先行技術文献】
【特許文献】
【０００６】
【特許文献１】特開２０１２−１９０７９４号公報
【発明の概要】
【発明が解決しようとする課題】
【０００７】
本発明の一態様は、このような技術的背景のもとでなされたものである。したがって、折
りたたみ可能な可搬性に優れた新規な情報処理装置を提供することを課題の一とする。ま
たは、継ぎ目のない大きな画面に表示をすることができる新規な情報処理装置を提供する
ことを課題の一とする。
【０００８】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【０００９】
本発明の一態様は、表示終了命令を含む操作命令および折り曲げ位置情報が供給され、画
像情報を供給する演算装置と、画像情報が供給され、操作命令および折り曲げ位置情報を
供給する入出力装置と、を有する情報処理装置である。そして、演算装置は、演算部およ
び演算部に実行させるプログラムを記憶する記憶部を備える。また、入出力装置は、折り
曲げることができる表示部および表示部が折り曲げられた位置を検知して折り曲げ位置情
報を供給することができる折り曲げ位置センサを備える。
【００１０】
また、そのプログラムは、タイマ等を初期化する第１のステップと、割り込み処理を許可
する第２のステップと、割り込み処理において生成された画像を表示する第３のステップ
と、割り込み処理において表示終了命令が入力されない場合に第３のステップに戻り、割
り込み処理において表示終了命令が入力された場合に第５のステップに進む第４のステッ
プと、プログラムを終了する第５のステップと、を備える。
【００１１】
また、その割り込み処理は、表示終了命令および折り曲げ位置情報を受けつける第６のス
テップと、第６のステップにおいて、折り曲げ位置情報が供給されなかった場合は第８の
ステップに進み、折り曲げ位置情報が供給された場合は第９のステップに進む第７のステ
ップと、表示部に表示する分割されていない画像を生成する第８のステップと、折り曲げ
られた位置を境に第１の領域と第２の領域に分割された画像を生成する第９のステップと
、割り込み処理から復帰する第１０のステップと、を備える。
【００１２】
上記本発明の一態様の情報処理装置は、表示部を折り曲げることにより、分割された画像
を表示部に表示する。これにより、一の表示部を、折り曲げられた位置を境に二つに分け
て利用できる。その結果、それぞれの領域に異なる画像を表示することができる。
【００１３】
または、折りたたみ可能な可搬性に優れた新規な情報処理装置を提供できる。または、継
ぎ目のない大きな画面に表示をすることができる新規な情報処理装置を提供できる。なお
、本明細書において画像は、文字や記号等の視覚を用いて知覚しうる情報を含むものとす
る。
【００１４】
また、本発明の一態様は、前記プログラムが、上記の割り込み処理に換えて、表示終了命
令および折り曲げ位置情報を受けつける第６のステップと、第６のステップにおいて折り
曲げ位置情報が供給されなかった場合は第８のステップに進み、折り曲げ位置情報が供給
された場合は第１０のステップに進む第７のステップと、一の画像を選択する第８のステ
ップと、第８のステップで選択された一の画像から表示部に表示する分割されていない画
像を生成する第９のステップと、二つの画像を選択する第１０のステップと、第１０のス
テップで選択された二つの画像から、折り曲げられた位置を境に第１の領域と第２の領域
に分割された画像を生成する第１１のステップと、割り込み処理から復帰する第１２のス
テップと、を備える割り込み処理を備える、上記の情報処理装置である。
【００１５】
上記本発明の一態様の情報処理装置は、一の表示領域を、折り曲げられた位置を境に二つ
に分けて利用でき、一方の表示領域に表示する画像を選択することができる。または、表
示領域の折り曲げられた状態に応じて、一つまたは複数の画像を選択して表示することが
できる。
【００１６】
または、折りたたみ可能な可搬性に優れた新規な情報処理装置を提供できる。または、継
ぎ目のない大きな画面に表示をすることができる新規な情報処理装置を提供できる。
【００１７】
また、本発明の一態様は、前記プログラムが、上記割り込み処理に換えて、表示終了命令
および折り曲げ位置情報を受ける第６のステップと、第６のステップで折り曲げ位置情報
が供給されなかった場合は第１１のステップに進み、折り曲げ位置情報が供給された場合
は第８のステップに進む第７のステップと、表示部が山折りにされなかった場合は第１１
のステップに進み、山折りにされた場合は第９のステップに進む第８のステップと、表示
部の中央に最も近い折り曲げ位置を特定する第９のステップと、折り曲げ位置乃至折り曲
げ位置に近い側の端までにある画素の画素値が０である画像を生成する第１０のステップ
と、割り込み処理から復帰する第１１のステップと、を備える割り込み処理を備える、上
記の情報処理装置である。
【００１８】
上記本発明の一態様の情報処理装置は、表示部を山折りにして、山折りにした位置から端
までの長さが長い部分を利用し、山折りにした位置から端までの長さが短い部分の表示を
停止することができる。これにより、使用者が使用しない領域が消費する電力を削減する
ことができる。または、使用者が使用しない領域に表示される情報を、他人に覗き見られ
ないようにすることができる。
【００１９】
また、本発明の一態様は、折り曲げることができる表示部および表示部が折り曲げられた
位置を検知して折り曲げ位置情報を供給することができる折り曲げ位置センサを備え且つ
画像情報が供給され表示終了命令を含む操作命令および折り曲げ位置情報を供給する入出
力装置と、演算部および記憶部を備え且つ操作命令および折り曲げ位置情報が供給され画
像情報を供給する演算装置と、を有する情報処理装置の演算部に実行させ且つ記憶部に記
憶されるプログラムである。
【００２０】
また、そのプログラムは、タイマ等を初期化する第１のステップと、割り込み処理を許可
する第２のステップと、割り込み処理において生成された画像を表示する第３のステップ
と、割り込み処理において表示終了命令が入力されない場合に第３のステップに戻り、割
り込み処理において表示終了命令が入力された場合に第５のステップに進む第４のステッ
プと、プログラムを終了する第５のステップと、を備え、割り込み処理は、表示終了命令
および折り曲げ位置情報を受けつける第６のステップと、第６のステップにおいて、折り
曲げ位置情報が供給されなかった場合は第８のステップに進み、折り曲げ位置情報が供給
された場合は第９のステップに進む第７のステップと、表示部に表示する分割されていな
い画像を生成する第８のステップと、折り曲げられた位置を境に第１の領域と第２の領域
に分割された画像を生成する第９のステップと、割り込み処理から復帰する第１０のステ
ップと、を備える。
【００２１】
上記本発明の一態様のプログラムは、表示領域の折り曲げられた状態に応じて、分割され
た画像を表示部に表示できる。これにより、一の表示部を、折り曲げられた位置を境に二
つに分けて利用できる。その結果、それぞれの領域に異なる画像を表示することができる
。
【００２２】
また、本発明の一態様は、上記の割り込み処理に換えて、表示終了命令および折り曲げ位
置情報を受けつける第６のステップと、第６のステップにおいて、折り曲げ位置情報が供
給されなかった場合は第８のステップに進み、折り曲げ位置情報が供給された場合は第１
０のステップに進む第７のステップと、一の画像を選択する第８のステップと、第８のス
テップで選択された一の画像から表示部に表示する分割されていない画像を生成する第９
のステップと、二つの画像を選択する第１０のステップと、第１０のステップで選択され
た二つの画像から、折り曲げられた位置を境に第１の領域と第２の領域に分割された画像
を生成する第１１のステップと、割り込み処理から復帰する第１２のステップと、を備え
る割り込み処理を備える、上記のプログラムである。
【００２３】
上記本発明の一態様のプログラムは、一の表示領域を、折り曲げられた位置を境に二つに
分けて利用でき、一方の表示領域に表示する画像を選択することができる。または、表示
領域の折り曲げられた状態に応じて、一つまたは複数の画像を選択して表示することがで
きる。
【００２４】
また、本発明の一態様は、上記の割り込み処理に換えて、表示終了命令および折り曲げ位
置情報を受ける第６のステップと、第６のステップで折り曲げ位置情報が供給されなかっ
た場合は第１１のステップに進み、折り曲げ位置情報が供給された場合は第８のステップ
に進む第７のステップと、表示部が山折りにされなかった場合は第１１のステップに進み
、山折りにされた場合は第９のステップに進む第８のステップと、表示部の中央に最も近
い折り曲げ位置を特定する第９のステップと、折り曲げ位置乃至折り曲げ位置に近い側の
端までにある画素の画素値が０である画像を生成する第１０のステップと、割り込み処理
から復帰する第１１のステップと、を備える割り込み処理を備える、上記のプログラムで
ある。
【００２５】
上記本発明の一態様のプログラムは、表示部を山折りにして、山折りにした位置から端ま
での長さが長い部分を利用し、山折りにした位置から端までの長さが短い部分の表示を停
止することができる。これにより、使用者が使用しない領域が消費する電力を削減するこ
とができる。または、使用者が使用しない領域に表示される情報を、他人に覗き見られな
いようにすることができる。
【００２６】
なお、本明細書中において、発光装置とは画像表示デバイスもしくは光源（照明装置含む
）を指す。また、発光装置にコネクター、例えばＦＰＣ（Ｆｌｅｘｉｂｌｅ  ｐｒｉｎｔ
ｅｄ  ｃｉｒｃｕｉｔ）もしくはＴＣＰ（Ｔａｐｅ  Ｃａｒｒｉｅｒ  Ｐａｃｋａｇｅ）
が取り付けられたモジュール、ＴＣＰの先にプリント配線板が設けられたモジュール、ま
たは発光素子が形成された基板にＣＯＧ（Ｃｈｉｐ  Ｏｎ  Ｇｌａｓｓ）方式によりＩＣ
（集積回路）が直接実装されたモジュールも全て発光装置に含むものとする。
【発明の効果】
【００２７】
本発明の一態様によれば、折りたたみ可能な可搬性に優れた新規な情報処理装置を提供で
きる。または、継ぎ目のない大きな画面に表示をすることができる新規な情報処理装置を
提供できる。
【図面の簡単な説明】
【００２８】
【図１】実施の形態に係る情報処理装置の構成を説明するブロック図および模式図。
【図２】実施の形態に係る情報処理装置の駆動方法を説明するフロー図。
【図３】実施の形態に係る情報処理装置の駆動方法を説明するフロー図。
【図４】実施の形態に係る情報処理装置を説明する図。
【図５】実施の形態に係る情報処理装置に適用可能な入出力装置の構成を説明する図。
【図６】実施の形態に係る情報処理装置の駆動方法を説明するフロー図および模式図。
【図７】実施の形態に係る情報処理装置に用いることができるタッチパネルの構成を説明する図。
【図８】実施の形態に係る情報処理装置に用いることができるタッチパネルの構成を説明する図。
【図９】実施の形態に係る情報処理装置に用いることができるタッチパネルの構成を説明する図。
【発明を実施するための形態】
【００２９】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００３０】
（実施の形態１）
本実施の形態では、本発明の一態様の情報処理装置の構成について、図１乃至図３を参照
しながら説明する。
【００３１】
図１（Ａ）は本発明の一態様の情報処理装置の構成を説明するブロック図である。
【００３２】
図１（Ｂ−１）および図１（Ｂ−２）は本発明の一態様の情報処理装置の構成を説明する
模式図である。図１（Ｂ−２）は、図１（Ｂ−１）に示す情報処理装置が折り曲げられた
状態を説明する模式図である。
【００３３】
図２は本発明の一態様の情報処理装置の演算部に実行させるプログラムを説明するフロー
図である。
【００３４】
図３は本発明の一態様の情報処理装置の演算部に実行させるプログラムの変形例を説明す
るフロー図である。
【００３５】
＜情報処理装置＞
本実施の形態で説明する情報処理装置１００は、演算装置１１０を有する。演算装置１１
０は、折り曲げ位置情報ＳＥＮＳおよび表示終了命令を含む操作命令ＩＮＰＵＴが供給さ
れ、画像情報ＶＩＤＥＯを供給する。また、演算部１１１および演算部１１１に実行させ
るプログラムを記憶する記憶部１１２を備える（図１（Ａ）参照）。
【００３６】
また、情報処理装置１００は、入出力装置１２０を有する。入出力装置１２０は、画像情
報ＶＩＤＥＯが供給され、表示終了命令を含む操作命令ＩＮＰＵＴおよび折り曲げ位置情
報ＳＥＮＳを供給する。また、折り曲げることができる表示部１２２および表示部１２２
が折り曲げられた位置を検知して折り曲げ位置情報ＳＥＮＳを供給する折り曲げ位置セン
サ１２３を備える（図１（Ｂ−１）参照）。
【００３７】
《プログラム》
演算部１１１に実行させるプログラムは、以下のステップを備える（図２参照）。
【００３８】
第１のステップにおいて、タイマ等を初期化する（図２（Ａ）（Ｓ１）参照）。なお、後
述する割り込み処理において用いられる画像情報を読み込む動作も、初期化に含まれる。
【００３９】
第２のステップにおいて、割り込み処理を許可する。なお、割り込み処理が許可されると
、主の処理を中断し、後述する割り込み処理を実行することができる（図２（Ａ）（Ｓ２
）参照）。
【００４０】
第３のステップにおいて、第２のステップで許可された割り込み処理において生成された
画像を表示する（図２（Ａ）（Ｓ３）参照）。
【００４１】
第４のステップにおいて、割り込み処理において表示終了命令が入力されない場合、第３
のステップに戻り、割り込み処理において表示終了命令が入力された場合に第５のステッ
プに進む（図２（Ａ）（Ｓ４）参照）。
【００４２】
第５のステップにおいて、プログラムが終了する（図２（Ａ）（Ｓ５）参照）。
【００４３】
割り込み処理について説明する（図２（Ｂ）参照）。なお、割り込み処理が許可された演
算部は、割り込み処理についての実行命令を受けつけることができる。そして、割り込み
処理についての実行命令を受けつけた演算部は、主の処理を中断し、割り込み処理を実行
する。例えば、割り込み処理についての実行命令に関連付けられたイベントを供給された
演算部は、割り込み処理を実行し、実行結果を記憶部に格納する。その後、割り込み処理
から主の処理に復帰した演算部は、主の処理を、割り込み処理の実行結果に基づいて再開
することができる。
【００４４】
第６のステップにおいて、表示終了命令および折り曲げ位置情報ＳＥＮＳを受けつける。
情報処理装置１００の使用者は、例えば入力手段１２１を用いて表示終了命令を入力する
ことができる（図２（Ｂ）（Ｔ６）参照）。
【００４５】
第７のステップにおいて、第６のステップで折り曲げ位置情報ＳＥＮＳが供給されなかっ
た場合は第８のステップに進み、折り曲げ位置情報ＳＥＮＳが供給された場合は第９のス
テップに進む（図２（Ｂ）（Ｔ７）参照）。例えば、折り曲げられていた表示部１２２が
折り曲げられていない状態にされることにより、折り曲げ位置情報ＳＥＮＳの供給が停止
される場合は、第８のステップに進む。また、その逆に、表示部１２２が折り曲げられた
状態にされることにより、折り曲げ位置情報ＳＥＮＳが供給された場合は、第９のステッ
プに進む。
【００４６】
第８のステップにおいて、表示部１２２に表示する画像を生成する。なお、ここで生成す
る画像は、折り曲げることが可能な位置で分割されていない。例えば、第１のステップで
読み込まれた画像情報を用いて画像を生成することができる（図２（Ｂ）（Ｔ８）参照）
。
【００４７】
第９のステップにおいて、折り曲げられた位置を境に第１の領域１２２（ａ）と第２の領
域１２２（ｂ）に分割された画像を生成する（図１（Ｂ−２）および図２（Ｂ）（Ｔ９）
参照）。なお、破線１００Ｆは折り曲げられた位置を示す。
【００４８】
また、本実施の形態は、表示部１２２を一本の線に沿うように、一回折り曲げる場合につ
いて説明するが、本発明の一態様はこれに限定されない。例えば複数の線に沿うように複
数回折り曲げてもよく、折り曲げられた複数の位置毎に分割された画像を表示してもよい
。
【００４９】
第１０のステップにおいて、割り込み処理から復帰する（図２（Ｂ）（Ｔ１０）参照）。
【００５０】
上記本発明の一態様の情報処理装置１００は、表示部１２２を折り曲げることにより、表
示領域を第１の領域１２２（ａ）と第２の領域１２２（ｂ）に分割し、それぞれの領域に
画像情報を表示する。これにより、一の表示領域を、折り曲げられた位置を境に二つに分
けて利用できる。その結果、例えばそれぞれの領域に異なる画像を、または異なる目的で
画像を表示することができる。
【００５１】
または、折りたたみ可能な可搬性に優れた新規な情報処理装置を提供できる。または、継
ぎ目のない大きな画面に表示をすることができる新規な情報処理装置を提供できる。なお
、本明細書において画像は、文字や記号等の視覚を用いて知覚しうる情報を含むものとす
る。
【００５２】
なお、本実施の形態で例示して説明する演算装置１１０は、入出力インターフェース１１
５および伝送路１１４を備える。
【００５３】
入出力インターフェース１１５は、情報を入出力装置１２０に供給することができ、入出
力装置１２０から情報が供給される。
【００５４】
伝送路１１４は、情報を演算部１１１、記憶部１１２および入出力インターフェース１１
５に供給することができる。また、演算部１１１、記憶部１１２および入出力インターフ
ェース１１５は、情報を伝送路１１４に供給することができる。
【００５５】
入出力装置１２０は、入力手段１２１を備える。入力手段１２１は表示終了命令等を供給
することができる。
【００５６】
なお、表示終了命令はプログラムを終了する命令である。
【００５７】
なお、これらの構成は明確に分離できず、一つの構成が他の構成を兼ねる場合や他の構成
の一部を含む場合がある。例えば、タッチパネルは表示部１２２であるとともに入力手段
１２１でもある。
【００５８】
以下に、本発明の一態様の情報処理装置１００を構成する個々の要素について説明する。
【００５９】
《入出力装置》
入出力装置１２０は、入出力インターフェース１１５を介して伝送路１１４に接続される
。入出力装置１２０は情報を供給することができる。
【００６０】
《表示部》
表示部１２２は可撓性を有する。表示部１２２は可撓性を有するため、折り曲げることが
できる。平面状に広げられた表示部１２２を図１（Ｂ−１）に示し、１本の畳み目が生じ
るように折り曲げられた表示部を図１（Ｂ−２）に示す。なお、畳み目の数はこれに限ら
れず、ｎ（ｎは１以上の自然数）本の畳み目が生じるように折り曲げることもできる。
【００６１】
なお、可撓性を有する表示部１２２の具体的な構成については実施の形態２で詳細に説明
する。
【００６２】
《折り曲げ位置センサ》
折り曲げ位置センサ１２３は表示部１２２が折り曲げられた位置を検知して折り曲げ位置
情報ＳＥＮＳを供給する。例えば、折り曲げられる位置があらかじめ定められている場合
は、センサをその場所に配置する。折り曲げられる位置が複数ある場合は、複数のセンサ
をライン状、マトリクス状に配置することにより、折り曲げられた位置の座標を特定する
ことができる。
【００６３】
折り曲げ位置センサ１２３を、例えば表示部１２２の外周に沿って設けることができる。
図１（Ｂ−１）に例示する情報処理装置１００の場合、折り曲げ位置センサ１２３が表示
部１２２の長手方向に沿って設けられている。また、例えば、短手方向に沿って設けても
よい。
【００６４】
なお、表示部１２２を囲むように設けられた折り曲げ位置センサ１２３は、表示部１２２
を横切る様々な方向、例えば横方向、縦方向または斜め方向の折り曲げ位置を検知するこ
とができる。これにより、表示部１２２を様々な位置で分割することができる。
【００６５】
折り曲げ位置センサ１２３は、例えばスイッチ、ＭＥＭＳ圧力センサまたは圧力センサ等
を用いて構成することができる。
【００６６】
具体的には、機械的な接点を有するスイッチまたは磁気スイッチ等を、表示部１２２を折
り曲げたり広げたりする動作に伴い開閉するように表示部１２２に配置してもよい。
【００６７】
または、複数の圧力センサを表示部１２２に設ける構成としてもよく、具体的にはフィル
ム状の圧電素子を表示部１２２に貼りつけて用いることができる。圧力センサを用いて、
折り曲げ動作に伴う圧力の上昇を検知することにより、折り曲げ位置を知ることができる
。
【００６８】
圧電素子として、例えば有機圧電フィルムを用いることができる。具体的にはポリアミノ
酸を含む圧電フィルム、ポリビニリデンフルオライドを含む圧電フィルム、ポリエステル
を含む圧電フィルムまたはキラル高分子を含む圧電フィルム等を用いることができる。
【００６９】
なお、圧電素子を折り曲げ位置センサ１２３と圧力検知型のタッチパネルに併用してもよ
い。
【００７０】
《入力手段》
入力手段１２１として、例えばヒューマンインターフェース等を用いることができる。具
体的には、キーボード、マウスまたはタッチパネル等を用いることができる。
【００７１】
例えば、情報処理装置１００の使用者は、入力手段１２１から、表示終了命令または画像
を選択する命令等を含む操作命令を入力することができる。または、領域を選択する命令
またはページめくり命令等を入力できる。
【００７２】
また、折り曲げ位置情報ＳＥＮＳを、入力手段１２１を用いて擬似的に入力してもよい。
これにより、入力手段１２１を用いて入力された位置情報を境に、一の表示部を二つに分
けて利用できる。その結果、例えばそれぞれの領域に異なる画像を表示することができる
。
【００７３】
《その他》
入出力装置１２０として、例えばカメラ、マイク、読み取り専用の外部記憶部、外部記憶
部、通信機器、スキャナー、スピーカ、プリンタ等を用いることができる。
【００７４】
具体的には、カメラとして、デジタルカメラ、デジタルビデオカメラ等を用いることがで
きる。
【００７５】
外部記憶部としては、ハードディスク、リムーバブルメモリなどを用いることができる。
また、読み取り専用の外部記憶部としては、ＣＤＲＯＭ、ＤＶＤＲＯＭなどを用いること
ができる。
【００７６】
通信機器としてネットワーク接続機器またはモデム等を用いることができる。
【００７７】
なお、情報処理装置１００の使用例として、ソフトウエアキーボードを二つに分けられた
表示部１２２の第２の領域１２２（ｂ）に表示してもよい。
【００７８】
例えば、第１の領域１２２（ａ）を、画像を表示する目的に用い、第２の領域１２２（ｂ
）を入力手段１２１に用いることができる。具体的には、ソフトウエアキーボードを用い
てゲームソフトを操作することにより、ゲーム機として情報処理装置１００を用いること
ができる。
【００７９】
なお、表示部１２２が発光素子を表示素子に具備する場合において、背景に比べて明るい
表示を用いて文字パレットを表示すると、消費電力を低減できるため好ましい。
【００８０】
また、繋ぎ目のない表示部を二つの領域に分けて用いることにより、使用者が一方の領域
から他方の領域に移動する画像を目で追跡し易い。その結果、二つの領域にまたがる操作
等における違和感が軽減される。
【００８１】
また、使用者は、演算装置１１０により一方の領域から他方の領域に移動するように表示
された画像を、目で追跡し易い。その結果、使用者は二つの領域を行き来する画像の位置
を正確に予測することができる。
【００８２】
例えばゲーム等において、二つの領域を行き来するキャラクターの動きを正確に予測する
ことができる。
【００８３】
＜変形例１＞
本実施の形態の変形例１で例示する情報処理装置について、図３を参照しながら説明する
。
【００８４】
図３は本発明の一態様の情報処理装置の演算部１１１に実行させるプログラムの変形例を
説明するフロー図である。
【００８５】
本実施の形態の変形例１で例示する情報処理装置は、演算部１１１に実行させるプログラ
ムの割り込み処理が、図２を参照しながら説明する情報処理装置とは異なる。よって、こ
こでは異なる部分について詳細に説明し、同じ構成を用いることができる部分は、上記の
説明を援用する。
【００８６】
本実施の形態の変形例１は、上記の割り込み処理に換えて、以下の割り込み処理を備える
。第６のステップにおいて、表示終了命令および折り曲げ位置情報ＳＥＮＳを受けつける
（図３（Ｕ６）参照）。
【００８７】
第７のステップにおいて、第６のステップで折り曲げ位置情報ＳＥＮＳが供給されなかっ
た場合は第８のステップに進み、折り曲げ位置情報ＳＥＮＳが供給された場合は第１０の
ステップに進む（図３（Ｕ７）参照）。
【００８８】
第８のステップにおいて、一の画像を複数の画像から選択する。例えば、第１のステップ
において複数の画像情報を読み込み、表示部１２２に初期画像としてタイル状に表示する
。そして、使用者がその一の画像を、入力手段１２１を用いて選択してもよい（図３（Ｕ
８）参照）。
【００８９】
第９のステップにおいて、第８のステップで選択された一の画像から表示部に表示する分
割されていない画像を生成する（図３（Ｕ９）参照）。
【００９０】
第１０のステップにおいて、二つの画像を複数の画像から選択する。例えば、第１のステ
ップで読み込んだ複数の画像情報をタイル状に表示し、使用者が入力手段１２１を用いて
二つの画像を選択してもよい（図３（Ｕ１０）参照）。
【００９１】
第１１のステップにおいて、折り曲げられた位置を境に第１の領域１２２（ａ）と第２の
領域１２２（ｂ）に分割された画像を、第１０のステップで選択された二つの画像から生
成する（図３（Ｕ１１）参照）。
【００９２】
第１２のステップにおいて、割り込み処理から復帰する（図３（Ｕ１２）参照）。
【００９３】
本実施の形態の変形例で説明する情報処理装置は、一の表示領域を、折り曲げられた位置
を境に二つに分けて利用でき、表示部１２２に表示する画像を選択することができる。
【００９４】
＜変形例２＞
本実施の形態の変形例２で例示する情報処理装置について、図６を参照しながら説明する
。
【００９５】
図６は本発明の一態様の情報処理装置の演算部１１１に実行させるプログラムの変形例を
説明するフロー図および模式図である。
【００９６】
本実施の形態の変形例２で例示する情報処理装置は、演算部１１１に実行させるプログラ
ムの割り込み処理が、図２を参照しながら説明する情報処理装置とは異なる。よって、こ
こでは異なる部分について詳細に説明し、同じ構成を用いることができる部分は、上記の
説明を援用する。
【００９７】
本実施の形態の変形例２は、上記の割り込み処理に換えて、以下の割り込み処理を備える
。第６のステップにおいて、表示終了命令および折り曲げ位置情報ＳＥＮＳを受けつける
（図６（Ａ）（Ｖ６）参照）。
【００９８】
第７のステップにおいて、第６のステップで折り曲げ位置情報ＳＥＮＳが供給されなかっ
た場合は第１１のステップに進み、折り曲げ位置情報ＳＥＮＳが供給された場合は第８の
ステップに進む（図６（Ａ）（Ｖ７）参照）。
【００９９】
第８のステップにおいて、表示部１２２が山折りにされなかった場合は第１１のステップ
に進み、山折りにされた場合は第９のステップに進む（図６（Ａ）（Ｖ８）参照）。
【０１００】
なお、表示部１２２が山折りにされたかまたは谷折りにされたかを、例えば、加速度セン
サや剪断力センサ等を用いて知ることができる。
【０１０１】
具体的には、表示部１２２の四隅に設けた加速度センサ１００Ｓを用いて、表示部１２２
を折り曲げる際に表示部１２２の四隅が受ける加速度を検知し、表示部の四隅が描く軌跡
を算出できる（図６（Ｂ−１）参照）。これにより、表示部が山折りにされたかまたは谷
折りにされたかを知ることができる（図６（Ｂ−２）参照）。
【０１０２】
また、表示部１２２に設けた剪断力センサを用いて、表示部１２２が山折りにされたかま
たは谷折りにされたかを知ることができる。
【０１０３】
第９のステップにおいて、表示部１２２の中央Ｃに最も近い折り曲げ位置Ｆを特定する（
図６（Ａ）（Ｖ９）参照）。
【０１０４】
折り曲げ位置Ｆは、折り曲げ位置センサが供給する折り曲げ位置情報ＳＥＮＳを用いて特
定できる。例えば、ライン状に複数の圧力センサが配置された折り曲げ位置センサを用い
る場合、表示部１２２の中央Ｃに最も近い、所定の値より大きな圧力を検知した圧力セン
サの位置を折り曲げ位置Ｆとしてもよい（図６（Ｂ−２）参照）。
【０１０５】
第１０のステップにおいて、折り曲げ位置Ｆ乃至折り曲げ位置Ｆに近い側の端Ｅまでにあ
る画素の画素値が０である画像を生成する（図６（Ａ）（Ｖ１０）参照）。
【０１０６】
具体的には、折り曲げ位置Ｆから折り曲げ位置Ｆに近い側の端Ｅまでを、第２の領域１２
２（ｂ）とし、他の領域を第１の領域１２２（ａ）とする。そして、第２の領域に形状、
模様または色彩がない画像を表示するために、第２の領域にある画素の画素値が例えば０
である画像を生成する（図６（Ｂ−２）参照）。なお、さまざまな情報を含む画像を第１
の領域１２２（ａ）に表示することができる。
【０１０７】
第１１のステップにおいて、割り込み処理から復帰する（図６（Ａ）（Ｖ１１）参照）。
【０１０８】
本実施の形態の変形例で説明する情報処理装置は、表示部を山折りにして、山折りにした
位置から端までの長さが長い部分を利用し、短い部分の表示を停止することができる。こ
れにより、使用者が使用しない領域が消費する電力を削減することができる。または、使
用者が使用しない領域に表示される情報を、他人に覗き見られないようにすることができ
る。
【０１０９】
なお、本実施の形態は、本明細書で示す他の実施の形態と適宜組み合わせることができる
。
【０１１０】
（実施の形態２）
本実施の形態では、本発明の一態様の情報処理装置について、図４を参照しながら説明す
る。
【０１１１】
図４（Ａ）は本発明の一態様の情報処理装置２００の構造を説明する上面図であり、図４
（Ｂ）は情報処理装置２００の構造を説明する側面図である。なお、図中の矢印は表示が
行われる方向を示す。
【０１１２】
図４（Ｃ）は、図４（Ａ）に示す屈曲部２８１の一部の構成を説明する側面図である。
【０１１３】
図４（Ｄ−１）および図４（Ｄ−２）は、入出力装置２２０が折り曲げられた位置を境に
、表示部２２２を二つの領域に分けて利用する例を説明する側面図である。
【０１１４】
＜上面図の説明＞
情報処理装置２００は、折り曲げ位置情報および操作命令が供給され、画像情報を供給す
る演算装置２１０を有する。また、情報処理装置２００は、画像情報が供給され、折り曲
げ位置情報と操作命令を供給する入出力装置２２０を有する（図４（Ａ）参照）。
【０１１５】
＜側面図の説明＞
入出力装置２２０は、屈曲部２８１および屈曲部２８１の屈曲に伴い折り曲げられるよう
に支持された表示部２２２を有する。なお、表示部２２２は屈曲部２８１の側面からみて
およそ中央に位置している（図４（Ｂ）参照）。
【０１１６】
屈曲部２８１は、表示部２２２の対向する辺のそれぞれに沿って設けられている。
【０１１７】
屈曲部２８１は１または２以上のヒンジ部品２８２を含む（図４（Ｃ）参照）。これによ
り、屈曲部２８１を１または複数の場所で折り曲げることができる。なお、折り曲げる角
度を適宜調整できるように、ラチェット機構又は滑り止め等をヒンジ部品２８２に設けて
もよい。
【０１１８】
屈曲部２８１が位置２００Ｆを境に折り曲げられ、表示部２２２が第１の領域２２２（ａ
）と第２の領域２２２（ｂ）とに分割された状態を図４（Ｄ−１）および図４（Ｄ−２）
に示す。
【０１１９】
例えば、第１の領域２２２（ａ）を使用者側に向け、第２の領域２２２（ｂ）を上方に向
くように屈曲部２８１を谷折りに折り曲げた状態を図４（Ｄ−１）に示す。
【０１２０】
演算装置２１０のプログラムは、入出力装置２２０が供給する折り曲げ位置情報に基づい
て、表示部２２２を第１の領域２２２（ａ）および第２の領域２２２（ｂ）に分割する。
【０１２１】
例えば、メールを送受信することができるソフトウエアの表示画面を第１の領域２２２（
ａ）に表示し、ソフトウエアキーボードを第２の領域２２２（ｂ）に表示する。これによ
り、第２の領域２２２（ｂ）に表示されたソフトウエアキーボードを用いて作成したメー
ルを、第１の領域２２２（ａ）に表示してその内容を確認することができる。
【０１２２】
このように、情報処理装置２００をメール送受信装置等として用いることができる。
【０１２３】
例えば、第１の領域２２２（ａ）を使用者側に向け、第２の領域２２２（ｂ）が下方に向
くように屈曲部２８１を山折りに折り曲げた状態を図４（Ｄ−２）に示す。
【０１２４】
演算装置２１０のプログラムは、入出力装置２２０が供給する折り曲げ位置情報に基づい
て、表示部２２２を第１の領域２２２（ａ）および第２の領域２２２（ｂ）に分割する。
【０１２５】
例えば、画像を閲覧することができるソフトウエアの表示画面を第１の領域２２２（ａ）
に表示し、第２の領域２２２（ｂ）の表示を停止する。これにより、使用者が第１の領域
２２２（ａ）に表示される画像を閲覧しやすいように、第１の領域２２２（ａ）の角度を
保持することができる。
【０１２６】
このように、情報処理装置２００をデジタルフォトフレームや動画再生装置等として用い
ることができる。
【０１２７】
なお、本実施の形態は、本明細書で示す他の実施の形態と適宜組み合わせることができる
。
【０１２８】
（実施の形態３）
本実施の形態では、本発明の一態様の情報処理装置に適用することができる入出力装置の
構成について、図５を参照しながら説明する。
【０１２９】
図５（Ａ）は本発明の一態様の情報処理装置に適用可能な入出力装置の構造を説明する上
面図である。
【０１３０】
図５（Ｂ）は図５（Ａ）の切断線Ａ−Ｂおよび切断線Ｃ−Ｄにおける断面図である。
【０１３１】
図５（Ｃ）は図５（Ａ）の切断線Ｅ−Ｆにおける断面図である。
【０１３２】
＜上面図の説明＞
本実施の形態で例示する入出力装置３００は表示部３０１を有する（図５（Ａ）参照）。
【０１３３】
表示部３０１は、複数の画素３０２と複数の撮像画素３０８を備える。撮像画素３０８は
表示部３０１に触れる指等を検知することができる。これにより、撮像画素３０８を用い
てタッチセンサを構成することができる。
【０１３４】
画素３０２は、複数の副画素（例えば副画素３０２Ｒ）を備え、副画素は発光素子および
発光素子を駆動する電力を供給することができる画素回路を備える。
【０１３５】
画素回路は、選択信号を供給することができる配線および画像信号を供給することができ
る配線と、電気的に接続される。
【０１３６】
また、入出力装置３００は選択信号を画素３０２に供給することができる走査線駆動回路
３０３ｇ（１）と、画像信号を画素３０２に供給することができる画像信号線駆動回路３
０３ｓ（１）を備える。
【０１３７】
撮像画素３０８は、光電変換素子および光電変換素子を駆動する撮像画素回路を備える。
【０１３８】
撮像画素回路は、制御信号を供給することができる配線および電源電位を供給することが
できる配線と電気的に接続される。
【０１３９】
制御信号としては、例えば記録された撮像信号を読み出す撮像画素回路を選択することが
できる信号、撮像画素回路を初期化することができる信号、および撮像画素回路が光を検
知する時間を決定することができる信号などを挙げることができる。
【０１４０】
入出力装置３００は制御信号を撮像画素３０８に供給することができる撮像画素駆動回路
３０３ｇ（２）と、撮像信号を読み出す撮像信号線駆動回路３０３ｓ（２）を備える。
【０１４１】
＜断面図の説明＞
入出力装置３００は、基板３１０および基板３１０に対向する対向基板３７０を有する（
図５（Ｂ）参照）。
【０１４２】
基板３１０は、可撓性を有する基板３１０ｂ、意図しない不純物の発光素子への拡散を防
ぐバリア膜３１０ａおよび基板３１０ｂとバリア膜３１０ａを貼り合わせる接着層３１０
ｃが積層された積層体である。
【０１４３】
基板３１０ｂは、複数の電極３１０Ｙを備える基板３１０ｂ（１）、複数の電極３１０Ｘ
を備える基板３１０ｂ（２）および複数の電極３１０Ｙ並びに複数の電極３１０Ｘが信号
を供給することができるフレキシブルプリントサーキット、ＦＰＣ３０９（２）を有する
（図５（Ｂ）および図５（Ｃ）参照）。
【０１４４】
電極３１０Ｙと電極３１０Ｘは互いに交差するように配置され、機能性高分子３１０ｐが
電極３１０Ｙと電極３１０Ｘの間に挟持されている。
【０１４５】
電極３１０Ｙ、電極３１０Ｘおよび電極３１０Ｙと電極３１０Ｘの間に挟持された機能性
高分子３１０ｐは圧力センサを構成する。これにより、圧力センサがマトリクス状に配置
され、折り曲げ位置センサを構成する。
【０１４６】
なお、圧力による変形が電極３１０Ｙと電極３１０Ｘの電気抵抗を変化させる構成として
もよい。例えば、圧電ポリマーを機能性高分子３１０ｐとして用いることができる。具体
的には、機能性高分子３１０ｐが圧力により変形し、電極３１０Ｙと電極３１０Ｘの接触
面積が大きくなることにより、電気抵抗が低下するようにしてもよい。
【０１４７】
対向基板３７０は、可撓性を有する基板３７０ｂ、意図しない不純物の発光素子への拡散
を防ぐバリア膜３７０ａおよび基板３７０ｂとバリア膜３７０ａを貼り合わせる接着層３
７０ｃの積層体である（図５（Ｂ）参照）。
【０１４８】
封止材３６０は対向基板３７０と基板３１０を貼り合わせている。また、封止材３６０は
空気より大きい屈折率を備え、光学接合層を兼ねる。画素回路および発光素子（例えば第
１の発光素子３５０Ｒ）は基板３１０と対向基板３７０の間にある。
【０１４９】
《画素の構成》
画素３０２は、副画素３０２Ｒ、副画素３０２Ｇおよび副画素３０２Ｂを有する（図５（
Ｃ）参照）。例えば、副画素３０２Ｒは赤色の表示をし、副画素３０２Ｇは緑色の表示を
し、副画素３０２Ｂは青色の表示をすることができる。また、副画素３０２Ｒは発光モジ
ュール３８０Ｒを備え、副画素３０２Ｇは発光モジュール３８０Ｇを備え、副画素３０２
Ｂは発光モジュール３８０Ｂを備える。
【０１５０】
例えば副画素３０２Ｒは、第１の発光素子３５０Ｒおよび第１の発光素子３５０Ｒに電力
を供給することができるトランジスタ３０２ｔを含む画素回路を備える（図５（Ｂ）参照
）。また、発光モジュール３８０Ｒは第１の発光素子３５０Ｒおよび光学素子（例えば第
１の着色層３６７Ｒ）を備える。
【０１５１】
第１の発光素子３５０Ｒは、第１の下部電極３５１Ｒ、上部電極３５２、第１の下部電極
３５１Ｒと上部電極３５２の間に発光性の有機化合物を含む層３５３を有する。
【０１５２】
発光性の有機化合物を含む層３５３は、発光ユニット３５３ａ、発光ユニット３５３ｂお
よび発光ユニット３５３ａと発光ユニット３５３ｂの間に中間層３５４を備える。
【０１５３】
発光モジュール３８０Ｒは、第１の着色層３６７Ｒを対向基板３７０に有する。着色層は
特定の波長を有する光を透過するものであればよく、例えば赤色、緑色または青色等を呈
する光を選択的に透過するものを用いることができる。または、発光素子の発する光をそ
のまま透過する領域を設けてもよい。
【０１５４】
例えば、発光モジュール３８０Ｒは、第１の発光素子３５０Ｒと第１の着色層３６７Ｒに
接して、光学接合層を兼ねる封止材３６０を有する。
【０１５５】
第１の着色層３６７Ｒは第１の発光素子３５０Ｒと重なる位置にある。これにより、第１
の発光素子３５０Ｒが発する光の一部は、光学接合層を兼ねる封止材３６０および第１の
着色層３６７Ｒを透過して、図中の矢印に示すように発光モジュール３８０Ｒの外部に射
出される。
【０１５６】
《表示パネルの構成》
入出力装置３００は、遮光層３６７ＢＭを対向基板３７０に有する。遮光層３６７ＢＭは
、着色層（例えば第１の着色層３６７Ｒ）を囲むように設けられている。
【０１５７】
入出力装置３００は、反射防止層３６７ｐを表示部３０１に重なる位置に備える。反射防
止層３６７ｐとして、例えば円偏光板を用いることができる。
【０１５８】
入出力装置３００は、絶縁膜３２１を備える。絶縁膜３２１はトランジスタ３０２ｔを覆
っている。なお、絶縁膜３２１は画素回路に起因する凹凸を平坦化するための層として用
いることができる。また、不純物のトランジスタ３０２ｔ等への拡散を抑制することがで
きる層が積層された絶縁膜を、絶縁膜３２１に適用することができる。
【０１５９】
入出力装置３００は、発光素子（例えば第１の発光素子３５０Ｒ）を絶縁膜３２１上に有
する。
【０１６０】
入出力装置３００は、絶縁膜３２１上に第１の下部電極３５１Ｒの端部に重なる隔壁３２
８を有する（図５（Ｃ）参照）。また、基板３１０と対向基板３７０の間隔を制御するス
ペーサ３２９が、隔壁３２８上に設けられている。
【０１６１】
《画像信号線駆動回路の構成》
画像信号線駆動回路３０３ｓ（１）は、トランジスタ３０３ｔおよび容量３０３ｃを含む
。なお、駆動回路を画素回路と同一基板上に、同一の工程で形成することができる。
【０１６２】
《撮像画素の構成》
撮像画素３０８は、光電変換素子３０８ｐおよび光電変換素子３０８ｐに照射された光を
検知するための撮像画素回路を備える。また、撮像画素回路は、トランジスタ３０８ｔを
含む。
【０１６３】
光電変換素子３０８ｐに、例えばｐｉｎ型のフォトダイオードを用いることができる。
【０１６４】
《他の構成》
入出力装置３００は、信号を供給することができる配線３１１を備え、端子３１９が配線
３１１に設けられている。なお、画像信号および同期信号等の信号を供給することができ
るＦＰＣ３０９（１）が端子３１９に電気的に接続されている。
【０１６５】
なお、ＦＰＣ３０９（１）にはプリント配線基板（ＰＷＢ）が取り付けられていても良い
。
【０１６６】
なお、本実施の形態は、本明細書で示す他の実施の形態と適宜組み合わせることができる
。
【０１６７】
（実施の形態４）
本実施の形態では、本発明の一態様の情報処理装置に適用可能な折り曲げ可能なタッチパ
ネルの構成について、図７及び図８を参照しながら説明する。
【０１６８】
図７は本発明の一態様のタッチパネルの代表的な構成要素を説明する斜視図である。図７
（Ａ）は、タッチパネル４００の斜視図であり、図７（Ｂ）は、タッチパネル４００の分
離された状態の各構成の斜視図である。
【０１６９】
図８は、図７（Ａ）に示すタッチパネル４００のＸ１−Ｘ２における断面図である。
【０１７０】
タッチパネル４００は、表示部４０１とタッチセンサ４９５を備える（図７（Ｂ）参照）
。また、タッチパネル４００は、基板４１０、基板４７０および基板４９０を有する。な
お、基板４１０、基板４７０および基板４９０はいずれも可撓性を有する。
【０１７１】
表示部４０１は、基板４１０、基板４１０上に複数の画素および当該画素に信号を供給す
ることができる複数の配線４１１を備える。複数の配線４１１は、基板４１０の外周部に
まで引き回され、その一部が端子４１９を構成している。端子４１９はＦＰＣ４０９（１
）と電気的に接続する。
【０１７２】
＜タッチセンサ＞
基板４９０には、タッチセンサ４９５と、タッチセンサ４９５と電気的に接続する複数の
配線４９８を備える。複数の配線４９８は基板４９０の外周部に引き回され、その一部は
端子を構成する。そして、当該端子はＦＰＣ４０９（２）と電気的に接続される。なお、
図７（Ｂ）では明瞭化のため、基板４９０の裏面側（紙面奥側）に設けられるタッチセン
サ４９５の電極や配線等を実線で示している。
【０１７３】
タッチセンサ４９５として、例えば静電容量方式のタッチセンサを適用できる。静電容量
方式としては、表面型静電容量方式、投影型静電容量方式等がある。
【０１７４】
投影型静電容量方式としては、主に駆動方式の違いから自己容量方式、相互容量方式など
がある。相互容量方式を用いると同時多点検出が可能となるため好ましい。
【０１７５】
以下では、投影型静電容量方式のタッチセンサを適用する場合について、図７（Ｂ）を用
いて説明する。
【０１７６】
なお、指等の検知対象の近接または接触を検知することができるさまざまなセンサを適用
することができる。
【０１７７】
投影型静電容量方式のタッチセンサ４９５は、電極４９１と電極４９２を有する。電極４
９１は複数の配線４９８のいずれかと電気的に接続し、電極４９２は複数の配線４９８の
他のいずれかと電気的に接続する。
【０１７８】
電極４９２は、図７（Ａ）、（Ｂ）に示すように、一方向に繰り返し配置された複数の四
辺形が角部で接続された形状を有する。
【０１７９】
電極４９１は四辺形であり、電極４９２が延在する方向と交差する方向に繰り返し配置さ
れている。
【０１８０】
配線４９４は、電極４９２を挟む二つの電極４９１を電気的に接続する。このとき、電極
４９２と配線４９４の交差部の面積ができるだけ小さくなる形状が好ましい。これにより
、電極が設けられていない領域の面積を低減でき、透過率のムラを低減できる。その結果
、タッチセンサ４９５を透過する光の輝度ムラを低減することができる。
【０１８１】
なお、電極４９１、電極４９２の形状はこれに限られず、様々な形状を取りうる。例えば
、複数の電極４９１をできるだけ隙間が生じないように配置し、絶縁層を介して電極４９
２を、電極４９１と重ならない領域ができるように離間して複数設ける構成としてもよい
。このとき、隣接する２つの電極４９２の間に、これらとは電気的に絶縁されたダミー電
極を設けると、透過率の異なる領域の面積を低減できるため好ましい。
【０１８２】
タッチセンサ４９５の構成を、図８を用いて説明する。
【０１８３】
タッチセンサ４９５は、基板４９０、基板４９０上に千鳥状に配置された電極４９１及び
電極４９２、電極４９１及び電極４９２を覆う絶縁層４９３並びに隣り合う電極４９１を
電気的に接続する配線４９４を備える。
【０１８４】
樹脂層４９７は、タッチセンサ４９５が表示部４０１に重なるように、基板４９０を基板
４７０に貼り合わせている。
【０１８５】
電極４９１及び電極４９２は、透光性を有する導電材料を用いて形成する。透光性を有す
る導電性材料としては、酸化インジウム、インジウム錫酸化物、インジウム亜鉛酸化物、
酸化亜鉛、ガリウムを添加した酸化亜鉛などの導電性酸化物を用いることができる。なお
、グラフェンを含む膜を用いることもできる。グラフェンを含む膜は、例えば膜状に形成
された酸化グラフェンを含む膜を還元して形成することができる。還元する方法としては
、熱を加える方法等を挙げることができる。
【０１８６】
透光性を有する導電性材料を基板４９０上にスパッタリング法により成膜した後、フォト
リソグラフィ法等の様々なパターニング技術により、不要な部分を除去して、電極４９１
及び電極４９２を形成することができる。
【０１８７】
また、絶縁層４９３に用いる材料としては、例えば、アクリル、エポキシなどの樹脂、シ
ロキサン結合を有する樹脂の他、酸化シリコン、酸化窒化シリコン、酸化アルミニウムな
どの無機絶縁材料を用いることもできる。
【０１８８】
また、電極４９１に達する開口が絶縁層４９３に設けられ、配線４９４が隣接する電極４
９１を電気的に接続する。透光性の導電性材料は、タッチパネルの開口率を高めることが
できるため、配線４９４に好適に用いることができる。また、電極４９１及び電極４９２
より導電性の高い材料は、電気抵抗を低減できるため配線４９４に好適に用いることがで
きる。
【０１８９】
一の電極４９２は一方向に延在し、複数の電極４９２がストライプ状に設けられている。
【０１９０】
配線４９４は電極４９２と交差して設けられている。
【０１９１】
一対の電極４９１が一の電極４９２を挟んで設けられ、配線４９４は一対の電極４９１を
電気的に接続している。
【０１９２】
なお、複数の電極４９１は、一の電極４９２と必ずしも直交する方向に配置される必要は
なく、９０度未満の角度をなすように配置されてもよい。
【０１９３】
一の配線４９８は、電極４９１又は電極４９２と電気的に接続される。配線４９８の一部
は、端子として機能する。配線４９８としては、例えば、アルミニウム、金、白金、銀、
ニッケル、チタン、タングステン、クロム、モリブデン、鉄、コバルト、銅、又はパラジ
ウム等の金属材料や、該金属材料を含む合金材料を用いることができる。
【０１９４】
なお、絶縁層４９３及び配線４９４を覆う絶縁層を設けて、タッチセンサ４９５を保護す
ることができる。
【０１９５】
また、接続層４９９は、配線４９８とＦＰＣ４０９（２）を電気的に接続する。
【０１９６】
接続層４９９としては、様々な異方性導電フィルム（ＡＣＦ：Ａｎｉｓｏｔｒｏｐｉｃ  
Ｃｏｎｄｕｃｔｉｖｅ  Ｆｉｌｍ）や、異方性導電ペースト（ＡＣＰ：Ａｎｉｓｏｔｒｏ
ｐｉｃ  Ｃｏｎｄｕｃｔｉｖｅ  Ｐａｓｔｅ）などを用いることができる。
【０１９７】
樹脂層４９７は、透光性を有する。例えば、熱硬化性樹脂や紫外線硬化樹脂を用いること
ができ、具体的には、アクリル、ウレタン、エポキシ、またはシロキサン結合を有する樹
脂などの樹脂を用いることができる。
【０１９８】
＜表示部＞
表示部４０１は、マトリクス状に配置された複数の画素を備える。画素は表示素子と表示
素子を駆動する画素回路を備える。
【０１９９】
本実施の形態では、白色の光を射出する有機エレクトロルミネッセンス素子を表示素子に
適用する場合について説明するが、表示素子はこれに限られない。
【０２００】
例えば、副画素毎に射出する光の色が異なるように、発光色が異なる有機エレクトロルミ
ネッセンス素子を副画素毎に適用してもよい。
【０２０１】
また、有機エレクトロルミネッセンス素子の他、電気泳動方式や電子粉流体方式やエレク
トロウェッティング方式などにより表示を行う表示素子（電子インクともいう）、シャッ
ター方式のＭＥＭＳ表示素子、光干渉方式のＭＥＭＳ表示素子、液晶素子など、様々な表
示素子を表示素子に用いることができる。また、透過型液晶ディスプレイ、半透過型液晶
ディスプレイ、反射型液晶ディスプレイ、直視型液晶ディスプレイなどにも適用できる。
なお、半透過型液晶ディスプレイや反射型液晶ディスプレイを実現する場合には、画素電
極の一部、または、全部が、反射電極としての機能を有するようにすればよい。例えば、
画素電極の一部、または、全部が、アルミニウム、銀、などを有するようにすればよい。
さらに、その場合、反射電極の下に、ＳＲＡＭなどの記憶回路を設けることも可能である
。これにより、さらに、消費電力を低減することができる。また、適用する表示素子に好
適な構成を様々な画素回路から選択して用いることができる。
【０２０２】
また、表示部において、画素に能動素子を有するアクティブマトリクス方式、または、画
素に能動素子を有しないパッシブマトリクス方式を用いることが出来る。
【０２０３】
アクティブマトリクス方式では、能動素子（アクティブ素子、非線形素子）として、トラ
ンジスタだけでなく、さまざまな能動素子（アクティブ素子、非線形素子）を用いること
が出来る。例えば、ＭＩＭ（Ｍｅｔａｌ  Ｉｎｓｕｌａｔｏｒ  Ｍｅｔａｌ）、又はＴＦ
Ｄ（Ｔｈｉｎ  Ｆｉｌｍ  Ｄｉｏｄｅ）などを用いることも可能である。これらの素子は
、製造工程が少ないため、製造コストの低減、又は歩留まりの向上を図ることができる。
または、これらの素子は、素子のサイズが小さいため、開口率を向上させることができ、
低消費電力化や高輝度化をはかることが出来る。
【０２０４】
アクティブマトリクス方式以外のものとして、能動素子（アクティブ素子、非線形素子）
を用いないパッシブマトリクス型を用いることも可能である。能動素子（アクティブ素子
、非線形素子）を用いないため、製造工程が少ないため、製造コストの低減、又は歩留ま
りの向上を図ることができる。または、能動素子（アクティブ素子、非線形素子）を用い
ないため、開口率を向上させることができ、低消費電力化、又は高輝度化などを図ること
が出来る。
【０２０５】
可撓性を有する材料を基板４１０および基板４７０に好適に用いることができる。
【０２０６】
意図しない不純物の透過が抑制された材料を基板４１０および基板４７０に好適に用いる
ことができる。例えば、水蒸気の透過率が１０−５ｇ／ｍ２・ｄａｙ以下、好ましくは１
０−６ｇ／ｍ２・ｄａｙ以下である材料を好適に用いることができる。
【０２０７】
線膨張率がおよそ等しい材料を基板４１０および基板４７０に好適に用いることができる
。例えば、線膨張率が１×１０−３／Ｋ以下、好ましくは５×１０−５／Ｋ以下、より好
ましくは１×１０−５／Ｋ以下である材料を好適に用いることができる。
【０２０８】
基板４１０は、可撓性を有する基板４１０ｂ、意図しない不純物の発光素子への拡散を防
ぐバリア膜４１０ａおよび基板４１０ｂとバリア膜４１０ａを貼り合わせる樹脂層４１０
ｃが積層された積層体である。
【０２０９】
例えば、ポリエステル、ポリオレフィン、ポリアミド（ナイロン、アラミド等）、ポリイ
ミド、ポリカーボネートまたはアクリル、ウレタン、エポキシもしくはシロキサン結合を
有する樹脂を含む材料を樹脂層４１０ｃに用いることができる。
【０２１０】
基板４７０は、可撓性を有する基板４７０ｂ、意図しない不純物の発光素子への拡散を防
ぐバリア膜４７０ａおよび基板４７０ｂとバリア膜４７０ａを貼り合わせる樹脂層４７０
ｃの積層体である。
【０２１１】
封止材４６０は基板４７０と基板４１０を貼り合わせている。封止材４６０は空気より大
きい屈折率を備える。また、封止材４６０側に光を取り出す場合は、封止材４６０は光学
接合層を兼ねる。画素回路および発光素子（例えば第１の発光素子４５０Ｒ）は基板４１
０と基板４７０の間にある。
【０２１２】
《画素の構成》
画素は、副画素４０２Ｒを含み、副画素４０２Ｒは発光モジュール４８０Ｒを備える。
【０２１３】
副画素４０２Ｒは、第１の発光素子４５０Ｒおよび第１の発光素子４５０Ｒに電力を供給
することができるトランジスタ４０２ｔを含む画素回路を備える。また、発光モジュール
４８０Ｒは第１の発光素子４５０Ｒおよび光学素子（例えば第１の着色層４６７Ｒ）を備
える。
【０２１４】
第１の発光素子４５０Ｒは、下部電極、上部電極、下部電極と上部電極の間に発光性の有
機化合物を含む層を有する。
【０２１５】
発光モジュール４８０Ｒは、光を取り出す方向に第１の着色層４６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０２１６】
また、封止材４６０が光を取り出す側に設けられている場合、封止材４６０は、第１の発
光素子４５０Ｒと第１の着色層４６７Ｒに接する。
【０２１７】
第１の着色層４６７Ｒは第１の発光素子４５０Ｒと重なる位置にある。これにより、第１
の発光素子４５０Ｒが発する光の一部は第１の着色層４６７Ｒを透過して、図中に示す矢
印の方向の発光モジュール４８０Ｒの外部に射出される。
【０２１８】
《表示部の構成》
表示部４０１は、光を射出する方向に遮光層４６７ＢＭを有する。遮光層４６７ＢＭは、
着色層（例えば第１の着色層４６７Ｒ）を囲むように設けられている。
【０２１９】
表示部４０１は、反射防止層４６７ｐを画素に重なる位置に備える。反射防止層４６７ｐ
として、例えば円偏光板を用いることができる。
【０２２０】
表示部４０１は、絶縁膜４２１を備える。絶縁膜４２１はトランジスタ４０２ｔを覆って
いる。なお、絶縁膜４２１は画素回路に起因する凹凸を平坦化するための層として用いる
ことができる。また、不純物の拡散を抑制できる層を含む積層膜を、絶縁膜４２１に適用
することができる。これにより、予期せぬ不純物の拡散によるトランジスタ４０２ｔ等の
信頼性の低下を抑制できる。
【０２２１】
表示部４０１は、発光素子（例えば第１の発光素子４５０Ｒ）を絶縁膜４２１上に有する
。
【０２２２】
表示部４０１は、下部電極の端部に重なる隔壁４２８を絶縁膜４２１上に有する。また、
基板４１０と基板４７０の間隔を制御するスペーサを、隔壁４２８上に有する。
【０２２３】
《走査線駆動回路の構成》
走査線駆動回路４０３ｇ（１）は、トランジスタ４０３ｔおよび容量４０３ｃを含む。な
お、駆動回路を画素回路と同一の工程で同一基板上に形成することができる。
【０２２４】
《他の構成》
表示部４０１は、信号を供給することができる配線４１１を備え、端子４１９が配線４１
１に設けられている。なお、画像信号および同期信号等の信号を供給することができるＦ
ＰＣ４０９（１）が端子４１９に電気的に接続されている。
【０２２５】
なお、ＦＰＣ４０９（１）にはプリント配線基板（ＰＷＢ）が取り付けられていても良い
。
【０２２６】
表示部４０１は、走査線、信号線および電源線等の配線を有する。様々な導電膜を配線に
用いることができる。
【０２２７】
具体的には、アルミニウム、クロム、銅、タンタル、チタン、モリブデン、タングステン
、ニッケル、イットリウム、ジルコニウム、銀またはマンガンから選ばれた金属元素、上
述した金属元素を成分とする合金または上述した金属元素を組み合わせた合金等を用いる
ことができる。とくに、アルミニウム、クロム、銅、タンタル、チタン、モリブデン、タ
ングステンの中から選択される一以上の元素を含むと好ましい。特に、銅とマンガンの合
金がウエットエッチング法を用いた微細加工に好適である。
【０２２８】
具体的には、アルミニウム膜上にチタン膜を積層する二層構造、窒化チタン膜上にチタン
膜を積層する二層構造、窒化チタン膜上にタングステン膜を積層する二層構造、窒化タン
タル膜または窒化タングステン膜上にタングステン膜を積層する二層構造、チタン膜と、
そのチタン膜上にアルミニウム膜を積層し、さらにその上にチタン膜を形成する三層構造
等を用いることができる。
【０２２９】
具体的には、アルミニウム膜上にチタン、タンタル、タングステン、モリブデン、クロム
、ネオジム、スカンジウムから選ばれた元素の膜、または複数組み合わせた合金膜、もし
くは窒化膜を積層する積層構造を用いることができる。
【０２３０】
また、酸化インジウム、酸化錫または酸化亜鉛を含む透光性を有する導電材料を用いても
よい。
【０２３１】
＜表示部の変形例１＞
様々なトランジスタを表示部４０１に適用できる。
【０２３２】
ボトムゲート型のトランジスタを表示部４０１に適用する場合の構成を、図８（Ａ）およ
び図８（Ｂ）に図示する。
【０２３３】
例えば、酸化物半導体、アモルファスシリコン等を含む半導体層を、図８（Ａ）に図示す
るトランジスタ４０２ｔおよびトランジスタ４０３ｔに適用することができる。
【０２３４】
例えば、少なくともインジウム（Ｉｎ）、亜鉛（Ｚｎ）及びＭ（Ａｌ、Ｇａ、Ｇｅ、Ｙ、
Ｚｒ、Ｓｎ、Ｌａ、ＣｅまたはＨｆ等の金属）を含むＩｎ−Ｍ−Ｚｎ酸化物で表記される
膜を含むことが好ましい。または、ＩｎとＺｎの双方を含むことが好ましい。
【０２３５】
スタビライザーとしては、ガリウム（Ｇａ）、スズ（Ｓｎ）、ハフニウム（Ｈｆ）、アル
ミニウム（Ａｌ）、またはジルコニウム（Ｚｒ）等がある。また、他のスタビライザーと
しては、ランタノイドである、ランタン（Ｌａ）、セリウム（Ｃｅ）、プラセオジム（Ｐ
ｒ）、ネオジム（Ｎｄ）、サマリウム（Ｓｍ）、ユウロピウム（Ｅｕ）、ガドリニウム（
Ｇｄ）、テルビウム（Ｔｂ）、ジスプロシウム（Ｄｙ）、ホルミウム（Ｈｏ）、エルビウ
ム（Ｅｒ）、ツリウム（Ｔｍ）、イッテルビウム（Ｙｂ）、ルテチウム（Ｌｕ）等がある
。
【０２３６】
酸化物半導体膜を構成する酸化物半導体として、例えば、Ｉｎ−Ｇａ−Ｚｎ系酸化物、Ｉ
ｎ−Ａｌ−Ｚｎ系酸化物、Ｉｎ−Ｓｎ−Ｚｎ系酸化物、Ｉｎ−Ｈｆ−Ｚｎ系酸化物、Ｉｎ
−Ｌａ−Ｚｎ系酸化物、Ｉｎ−Ｃｅ−Ｚｎ系酸化物、Ｉｎ−Ｐｒ−Ｚｎ系酸化物、Ｉｎ−
Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇ
ｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ
−Ｚｎ系酸化物、Ｉｎ−Ｅｒ−Ｚｎ系酸化物、Ｉｎ−Ｔｍ−Ｚｎ系酸化物、Ｉｎ−Ｙｂ−
Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈ
ｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系
酸化物、Ｉｎ−Ｓｎ−Ｈｆ−Ｚｎ系酸化物、Ｉｎ−Ｈｆ−Ａｌ−Ｚｎ系酸化物、Ｉｎ−Ｇ
ａ系酸化物を用いることができる。
【０２３７】
なお、ここで、Ｉｎ−Ｇａ−Ｚｎ系酸化物とは、ＩｎとＧａとＺｎを主成分として有する
酸化物という意味であり、ＩｎとＧａとＺｎの比率は問わない。また、ＩｎとＧａとＺｎ
以外の金属元素が入っていてもよい。
【０２３８】
例えば、レーザーアニールなどの処理により結晶化させた多結晶シリコンを含む半導体層
を、図８（Ｂ）に図示するトランジスタ４０２ｔおよびトランジスタ４０３ｔに適用する
ことができる。
【０２３９】
トップゲート型のトランジスタを表示部４０１に適用する場合の構成を、図８（Ｃ）に図
示する。
【０２４０】
例えば、多結晶シリコン膜または単結晶シリコン基板等から転置された単結晶シリコン膜
等を含む半導体層を、図８（Ｃ）に図示するトランジスタ４０２ｔおよびトランジスタ４
０３ｔに適用することができる。
【０２４１】
なお、本実施の形態は、本明細書で示す他の実施の形態と適宜組み合わせることができる
。
【０２４２】
（実施の形態５）
本実施の形態では、本発明の一態様の情報処理装置に適用可能な折り曲げ可能なタッチパ
ネルの構成について、図９を参照しながら説明する。
【０２４３】
図９は、タッチパネル４００Ｂの構成を説明する断面図である。
【０２４４】
本実施の形態で説明するタッチパネル４００Ｂは、供給された画像情報をトランジスタが
設けられている側に表示する表示部４０１を備える点およびタッチセンサが表示部の基板
４１０側に設けられている点が、実施の形態４で説明するタッチパネル４００とは異なる
。ここでは異なる構成について詳細に説明し、同様の構成を用いることができる部分は、
上記の説明を援用する。
【０２４５】
＜表示部＞
表示部４０１は、マトリクス状に配置された複数の画素を備える。画素は表示素子と表示
素子を駆動する画素回路を備える。
【０２４６】
《画素の構成》
画素は、副画素４０２Ｒを含み、副画素４０２Ｒは発光モジュール４８０Ｒを備える。
【０２４７】
副画素４０２Ｒは、第１の発光素子４５０Ｒおよび第１の発光素子４５０Ｒに電力を供給
することができるトランジスタ４０２ｔを含む画素回路を備える。
【０２４８】
発光モジュール４８０Ｒは第１の発光素子４５０Ｒおよび光学素子（例えば第１の着色層
４６７Ｒ）を備える。
【０２４９】
第１の発光素子４５０Ｒは、下部電極、上部電極、下部電極と上部電極の間に発光性の有
機化合物を含む層を有する。
【０２５０】
発光モジュール４８０Ｒは、光を取り出す方向に第１の着色層４６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０２５１】
第１の着色層４６７Ｒは第１の発光素子４５０Ｒと重なる位置にある。また、図９（Ａ）
に示す第１の発光素子４５０Ｒは、トランジスタ４０２ｔが設けられている側に光を射出
する。これにより、第１の発光素子４５０Ｒが発する光の一部は第１の着色層４６７Ｒを
透過して、図中に示す矢印の方向の発光モジュール４８０Ｒの外部に射出される。
【０２５２】
《表示部の構成》
表示部４０１は、光を射出する方向に遮光層４６７ＢＭを有する。遮光層４６７ＢＭは、
着色層（例えば第１の着色層４６７Ｒ）を囲むように設けられている。
【０２５３】
表示部４０１は、絶縁膜４２１を備える。絶縁膜４２１はトランジスタ４０２ｔを覆って
いる。なお、絶縁膜４２１は画素回路に起因する凹凸を平坦化するための層として用いる
ことができる。また、不純物の拡散を抑制できる層を含む積層膜を、絶縁膜４２１に適用
することができる。これにより、例えば第１の着色層４６７Ｒから拡散する予期せぬ不純
物によるトランジスタ４０２ｔ等の信頼性の低下を抑制できる。
【０２５４】
＜タッチセンサ＞
タッチセンサ４９５は、表示部４０１の基板４１０側に設けられている（図９（Ａ）参照
）。
【０２５５】
樹脂層４９７は、基板４１０と基板４９０の間にあり、表示部４０１とタッチセンサ４９
５を貼り合わせる。
【０２５６】
＜表示部の変形例１＞
様々なトランジスタを表示部４０１に適用できる。
【０２５７】
ボトムゲート型のトランジスタを表示部４０１に適用する場合の構成を、図９（Ａ）およ
び図９（Ｂ）に図示する。
【０２５８】
例えば、酸化物半導体、アモルファスシリコン等を含む半導体層を、図９（Ａ）に図示す
るトランジスタ４０２ｔおよびトランジスタ４０３ｔに適用することができる。また、一
対のゲート電極をトランジスタのチャネルが形成される領域を上下に挟むように設けても
よい。これにより、トランジスタの特性の変動を抑制し、信頼性を高めることができる。
【０２５９】
例えば、多結晶シリコン等を含む半導体層を、図９（Ｂ）に図示するトランジスタ４０２
ｔおよびトランジスタ４０３ｔに適用することができる。
【０２６０】
トップゲート型のトランジスタを表示部４０１に適用する場合の構成を、図９（Ｃ）に図
示する。
【０２６１】
例えば、多結晶シリコン膜または転写された単結晶シリコン膜等を含む半導体層を、図９
（Ｃ）に図示するトランジスタ４０２ｔおよびトランジスタ４０３ｔに適用することがで
きる。
【０２６２】
なお、本実施の形態は、本明細書で示す他の実施の形態と適宜組み合わせることができる
。
【符号の説明】
【０２６３】
１００    情報処理装置
１００Ｆ    破線
１００Ｓ    加速度センサ
１１０    演算装置
１１１    演算部
１１２    記憶部
１１４    伝送路
１１５    入出力インターフェース
１２０    入出力装置
１２１    入力手段
１２２    表示部
１２２（ａ）    第１の領域
１２２（ｂ）    第２の領域
１２３    位置センサ
２００    情報処理装置
２００Ｆ    位置
２１０    演算装置
２２０    入出力装置
２２２    表示部
２２２（ａ）    第１の領域
２２２（ｂ）    第２の領域
２８１    屈曲部
２８２    ヒンジ部品
３００    入出力装置
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    接着層
３１０ｐ    機能性高分子
３１０Ｘ    電極
３１０Ｙ    電極
３１１    配線
３１９    端子
３２１    絶縁膜
３２８    隔壁
３２９    スペーサ
３５０Ｒ    発光素子
３５１Ｒ    下部電極
３５２    上部電極
３５３    発光性の有機化合物を含む層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    接着層
３８０Ｂ    発光モジュール
３８０Ｇ    発光モジュール
３８０Ｒ    発光モジュール
４００    タッチパネル
４００Ｂ    タッチパネル
４０１    表示部
４０２Ｒ    副画素
４０２ｔ    トランジスタ
４０３ｃ    容量
４０３ｇ    走査線駆動回路
４０３ｔ    トランジスタ
４０９    ＦＰＣ
４１０    基板
４１０ａ    バリア膜
４１０ｂ    基板
４１０ｃ    樹脂層
４１１    配線
４１９    端子
４２１    絶縁膜
４２８    隔壁
４５０Ｒ    発光素子
４６０    封止材
４６７ＢＭ    遮光層
４６７ｐ    反射防止層
４６７Ｒ    着色層
４７０    基板
４７０ａ    バリア膜
４７０ｂ    基板
４７０ｃ    樹脂層
４８０Ｒ    発光モジュール
４９０    基板
４９１    電極
４９２    電極
４９３    絶縁層
４９４    配線
４９５    タッチセンサ
４９７    樹脂層
４９８    配線
４９９    接続層
Ｃ    中央
Ｅ    近い側の端
Ｆ    折り曲げ位置
【図１】
2019032542.tif 000003
【図２】
2019032542.tif 000004
【図３】
2019032542.tif 000005
【図４】
2019032542.tif 000006
【図５】
2019032542.tif 000007
【図６】
2019032542.tif 000008
【図７】
2019032542.tif 000009
【図８】
2019032542.tif 000010
【図９】
2019032542.tif 000011
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
情報処理装置を用いた画像データの表示方法であって、
前記情報処理装置は、演算装置と、前記演算装置に接続された入出力装置を備え、
前記入出力装置は、前記演算装置に接続された表示部と、前記表示部に設けられた剪断力センサと、前記表示部にライン状に配置された複数の位置センサと、を備え、
前記表示部は、可撓性を備え、
前記表示部が、第１の画像データを表示するステップと、
前記剪断力センサが、前記表示部が内側方向または外側方向に折り曲げられた方向データを検知するステップと、
前記位置センサが、前記表示部の折り曲げ位置を感知するステップと、
前記折り曲げ位置の折り曲げ位置データを前記演算装置に供給するステップと、
前記演算装置が、前記折り曲げ位置とそれより遠い端部との間を第１の領域と設定し、前記折り曲げ位置に近い方の端部との間を第２の領域と設定するステップと
前記演算装置が、第１の領域に表示する第２の画像データと、第２の領域に表示する第３の画像データと、を前記第１の画像データから生成するステップと、
前記演算装置が、前記折り曲げられた方向データが供給されることで外側に折り曲げたことを検知することで、前記第１の領域に前記第２の画像データを表示し、前記第２の領域の表示を停止するステップと、
前記演算装置が、前記折り曲げられた方向データが供給されることで内側に折り曲げたことを検知することで、前記第１の領域に前記第２の画像データを表示し、前記第２の領域に前記第３の画像データを表示するステップと、を有することを特徴とする画像データの表示方法。
【請求項２】
情報処理装置を用いた画像データの表示方法であって、
前記情報処理装置は、演算装置と、前記演算装置に接続される入出力装置を備え、
前記入出力装置は、前記演算装置に接続された表示部と、前記表示部の端部に設けられた加速度センサと、前記表示部にライン状に配置された複数の位置センサとを備え、
前記表示部は、可撓性を備え、
前記表示部が、第１の画像データを表示するステップと、
前記加速度センサが、前記表示部が内側方向または外側方向に折り曲げられた方向データを検知するステップと、
前記位置センサが、前記表示部の折り曲げ位置を感知するステップと、
前記演算装置が、前記折り曲げ位置とそれより遠い端部との間を第１の領域と設定し、前記折り曲げ位置に近い方の端部との間を第２の領域と設定するステップと
前記演算装置が、前記第１の画像データから第１の領域に表示する第２の画像データと、第２の領域に表示する第３の画像データと、を前記第１の画像データから生成するステップと、
前記演算装置が、前記折り曲げられた方向データが供給されることで外側に折り曲げたことを検知することで、前記第１の領域に前記第２の画像データを表示し、前記第２の領域の表示を停止するステップと、
前記演算装置が、前記折り曲げられた方向データが供給されることで内側に折り曲げたことを検知することで、前記第１の領域に前記第２の画像データを表示し、前記第２の領域に前記第３の画像データを表示するステップと、を有することを特徴とする画像データの表示方法。
【請求項３】
請求項１または請求項２において
前記位置センサが圧力センサであることを特徴とする画像データの表示方法。
【請求項４】
請求項１乃至請求項３のいずれか一において
前記表示部が前記表示の側部に沿って複数のヒンジによって折り曲げられることを特徴とする画像データの表示方法。
【請求項５】
請求項１乃至請求項４のいずれか一において
前記位置センサが前記表示部と重ならないことを特徴とする画像データの表示方法。